(57)【要約】【課題】２つの読取部により読み取った読取画像に画質の差が生じることを抑制すること。【解決手段】第１読取部２４の第１受光基板４０から出力されるアナログ信号の読取信号は、第１配線ケーブルＬ１及び制御基板２８上の第１配線パターンＰ１を介して第１ＡＤＣに伝達され、デジタル信号の読取信号に変換される。また、第２読取部２５の第２受光基板５０から出力されるアナログ信号の読取信号は、第２配線ケーブルＬ２及び制御基板２８上の第２配線パターンＰ２を介して第２ＡＤＣに伝達され、デジタル信号の読取信号に変換される。この画像読取装置では、第１配線ケーブルＬ１の電気長と第１配線パターンＰ１の電気長との合計が、第２配線ケーブルＬ２の電気長と第２配線パターンＰ２の電気長との合計と等しくなるように調整されている。【選択図】図２
2015144387.tif 000002
【特許請求の範囲】
【請求項１】
原稿シートを搬送する搬送部と、
前記搬送部によって搬送される原稿シートの一方の面の画像に応じたアナログ信号を出力する第１読取部と、
前記搬送部によって搬送される原稿シートの他方の面の画像に応じたアナログ信号を出力する第２読取部と、
前記第１読取部から出力されるアナログ信号をデジタル信号に変換する第１変換部と、
前記第２読取部から出力されるアナログ信号をデジタル信号に変換する第２変換部と、
前記第１変換部と前記第２変換部が載置された基板と、
前記第１読取部に設けられてアナログ信号を出力する第１端子と、前記基板に設けられてアナログ信号を入力する第１基板端子と、を電気的に接続する第１配線ケーブルと、
前記第２読取部に設けられてアナログ信号を出力する第２端子と、前記基板に設けられてアナログ信号を入力する第２基板端子と、を電気的に接続する第２配線ケーブルと、
前記第１基板端子と前記第１変換部とを接続する前記基板上に設けられた第１配線パターンと、
前記第２基板端子と前記第２変換部とを接続する前記基板上に設けられた第２配線パターンと、
を備え、
前記第１配線ケーブルの電気長と前記第１配線パターンの電気長との合計は、前記第２配線ケーブルの電気長と前記第２配線パターンの電気長との合計と等しい、画像読取装置。
【請求項２】
請求項１記載の画像読取装置であって、
前記第１読取部は、原稿シートの一方の面を主走査方向に読み取り、読み取った画像に応じたアナログ信号を出力し、
前記第２読取部は、原稿シートの他方の面を前記主走査方向と逆方向に読み取り、読み取った画像に応じたアナログ信号を出力し、
前記基板は、前記主走査方向に平行に配置され、
前記第１端子は、前記第１読取部の前記主走査方向における一方側に設けられ、
前記第２端子は、前記第２読取部の前記主走査方向における他方側に設けられ、
前記第１基板端子及び前記第１変換部は、前記基板の前記主走査方向における一方側に設けられ、
前記第２基板端子及び前記第２変換部は、前記基板の前記主走査方向における他方側に設けられる、画像読取装置。
【請求項３】
請求項１記載の画像読取装置であって、
前記第１読取部は、原稿シートの一方の面を主走査方向に読み取り、読み取った画像に応じたアナログ信号を出力し、
前記第２読取部は、原稿シートの他方の面を前記主走査方向と逆方向に読み取り、読み取った画像に応じたアナログ信号を出力し、
前記基板は、前記主走査方向に平行に配置され、
前記第１端子は、前記第１読取部の前記主走査方向における一方側に設けられ、
前記第２端子は、前記第２読取部の前記主走査方向における他方側に設けられ、
前記第１基板端子及び前記第１変換部は、前記基板の前記主走査方向における一方側に設けられ、
前記第２基板端子及び前記第２変換部は、前記基板の前記主走査方向における一方側に設けられ、
前記第２配線ケーブルは、前記第１配線ケーブルよりも長く、
前記第１配線パターンは、前記第１基板端子と前記第１変換部との最短距離よりも長い、画像読取装置。
【請求項４】
請求項１から請求項３のいずれか一項に記載の画像読取装置であって、
前記第１読取部及び前記第２読取部は、前記主走査方向に並んだ複数の受光素子を有し、
前記第１読取部は、原稿シートの一方の面を前記複数の受光素子を用いて前記主走査方向に読み取り、読み取った画像に応じたアナログ信号を受光素子毎に前記主走査方向の一方側の受光素子から順に出力し、
前記第１変換部は、前記第１読取部から出力されるアナログ信号を前記第１読取部から出力される順にデジタル信号に変換し、
前記第２読取部は、原稿シートの他方の面を前記複数の受光素子を用いて前記主走査方向と逆方向に読み取り、読み取った画像に応じたアナログ信号を受光素子毎に前記主走査方向の他方側の受光素子から順に出力し、
前記第２変換部は、前記第２読取部から出力されるアナログ信号を前記第２読取部から出力される順にデジタル信号に変換し、
更に、
前記基板に載置され、前記第１変換部及び前記第２変換部で変換されたデジタル信号に対して補正処理を行う補正部、を備える、画像読取装置。
【請求項５】
請求項１から請求項４のいずれか一項に記載の画像読取装置であって、
前記第１配線ケーブルは、前記第１端子と前記第１基板端子とを最短ルートで接続し、
前記第２配線ケーブルは、前記第２端子と前記第２基板端子とを最短ルートで接続する、画像読取装置。
【請求項６】
請求項１から請求項４のいずれか一項に記載の画像読取装置であって、
更に、
表面に原稿シートが載置される透明な原稿台と、
前記第１読取部を前記原稿台の裏面に沿って副走査方向に移動させる移動部と、
を備え、
前記第１読取部は、
前記搬送部により搬送される原稿シートの一方の面の画像を、前記搬送部によって原稿シートが搬送される搬送経路上の第１読取位置で読み取る読取動作を実行可能に構成されており、
前記第２読取部は、
前記搬送部により搬送される原稿シートの他方の面の画像を、前記搬送経路上の第２読取位置で読み取る読取動作と、
前記原稿台の表面側に載置された原稿シートの前記原稿台に当接する当接面の画像を、前記移動部によって前記原稿台の裏面に沿って副走査方向に移動しながら読み取る読取動作と、を実行可能に構成されており、
前記第２配線ケーブルは、前記移動部による前記第２読取部の移動を許容する長さを有する、画像読取装置。
【請求項７】
請求項１から請求項６のいずれか一項に記載の画像読取装置であって、
更に、
前記基板に載置され、前記第１配線ケーブルを通じて前記第１読取部を制御する第１クロック信号を含む第１制御信号を前記第１読取部に出力し、前記第２配線ケーブルを通じて前記第２読取部を制御する第２クロック信号を含む第２制御信号を前記第２読取部に出力する制御信号出力部、を備え、
前記制御信号出力部は、お互いに逆相の前記第１クロック信号及び前記第２クロック信号を対応する読取部に出力する、画像読取装置。
【発明の詳細な説明】
【技術分野】
【０００１】
２つの読取部を用いて原稿を読み取るための技術に関する。
【背景技術】
【０００２】
従来から、搬送される原稿の両面を読み取るスキャナがある（特許文献１参照）。このスキャナは、原稿の一方の面を読み取る読取部と、原稿の他方の面を読み取る読取部の２つの読取部を備え、各読取部から出力されるアナログの読取信号をデジタルの読取信号に変換するとともに、配線ケーブルを用いて読取信号を伝達する。
【先行技術文献】
【特許文献】
【０００３】
【特許文献１】特開２０１２−２３７８２号公報
【発明の概要】
【発明が解決しようとする課題】
【０００４】
しかし、従来の構成では、一方の読取部においてアナログの読取信号が伝達される距離が、他方の読取部よりも長くなる。これにより、原稿の一方の面の読取画像と原稿の他方の面の読取画像に画質の違いが生じる問題点が発生していた。
【０００５】
本明細書では、２つの読取部により読み取った読取画像に画質の差が生じることを抑制することが可能な技術を開示する。
【課題を解決するための手段】
【０００６】
本明細書によって開示される画像読取装置は、原稿シートを搬送する搬送部と、前記搬送部によって搬送される原稿シートの一方の面の画像に応じたアナログ信号を出力する第１読取部と、前記搬送部によって搬送される原稿シートの他方の面の画像に応じたアナログ信号を出力する第２読取部と、前記第１読取部から出力されるアナログ信号をデジタル信号に変換する第１変換部と、前記第２読取部から出力されるアナログ信号をデジタル信号に変換する第２変換部と、前記第１変換部と前記第２変換部が載置された基板と、前記第１読取部に設けられてアナログ信号を出力する第１端子と、前記基板に設けられてアナログ信号を入力する第１基板端子と、を電気的に接続する第１配線ケーブルと、前記第２読取部に設けられてアナログ信号を出力する第２端子と、前記基板に設けられてアナログ信号を入力する第２基板端子と、を電気的に接続する第２配線ケーブルと、前記第１基板端子と前記第１変換部とを接続する前記基板上に設けられた第１配線パターンと、前記第２基板端子と前記第２変換部とを接続する前記基板上に設けられた第２配線パターンと、を備え、前記第１配線ケーブルの電気長と前記第１配線パターンの電気長との合計は、前記第２配線ケーブルの電気長と前記第２配線パターンの電気長との合計と等しい。
【０００７】
この画像読取装置では、第１配線ケーブルの電気長と第１配線パターンの電気長との合計が、第２配線ケーブルの電気長と第２配線パターンの電気長の合計と等しい。そのため、各読取部から出力されて対応する変換部に伝達されるまでにアナログ信号に生じる電圧値の変動が同程度に抑えらる。これにより、原稿シートの一方の面を読み取った読取画像と原稿シートの他方の面を読み取った読取画像に画質の差が生じることを抑制することができる。
【０００８】
また、上記の画像読取装置では、前記第１読取部は、原稿シートの一方の面を主走査方向に読み取り、読み取った画像に応じたアナログ信号を出力し、前記第２読取部は、原稿シートの他方の面を前記主走査方向と逆方向に読み取り、読み取った画像に応じたアナログ信号を出力し、前記基板は、前記主走査方向に平行に配置され、前記第１端子は、前記第１読取部の前記主走査方向における一方側に設けられ、前記第２端子は、前記第２読取部の前記主走査方向における他方側に設けられ、前記第１基板端子及び前記第１変換部は、前記基板の前記主走査方向における一方側に設けられ、前記第２基板端子及び前記第２変換部は、前記基板の前記主走査方向における他方側に設けられる構成としてもよい。
【０００９】
この画像読取装置では、各読取部の端子と基板の対応する基板端子とが主走査方向における同一側に設けられるので、主走査方向における反対側に設けられる場合に比べて、各配線ケーブルの電気長を短くすることができる。また、基板において、各基板端子と対応する変換部とが主走査方向における同一側に設けられるので、主走査方向における反対側に設けられる場合に比べて、各配線パターンの電気長を短くすることができる。これにより、第１配線ケーブルの電気長と第１配線パターンの電気長との合計、及び、第２配線ケーブルの電気長と第２配線パターンの電気長の合計を短くすることができ、読取画像に生じる画質の劣化を抑制することができる。
【００１０】
また、上記の画像読取装置では、前記第１読取部は、原稿シートの一方の面を主走査方向に読み取り、読み取った画像に応じたアナログ信号を出力し、前記第２読取部は、原稿シートの他方の面を前記主走査方向と逆方向に読み取り、読み取った画像に応じたアナログ信号を出力し、前記基板は、前記主走査方向に平行に配置され、前記第１端子は、前記第１読取部の前記主走査方向における一方側に設けられ、前記第２端子は、前記第２読取部の前記主走査方向における他方側に設けられ、前記第１基板端子及び前記第１変換部は、前記基板の前記主走査方向における一方側に設けられ、前記第２基板端子及び前記第２変換部は、前記基板の前記主走査方向における一方側に設けられ、前記第２配線ケーブルは、前記第１配線ケーブルよりも長く、前記第１配線パターンは、前記第１基板端子と前記第１変換部との最短距離よりも長い構成としてもよい。
【００１１】
配線ケーブルや配線パターンでは、長さが長いほど電気長が長い。この画像読取装置では、第２配線ケーブルが第１配線ケーブルより長く、第２配線ケーブルの電気長が第１配線ケーブルの電気長よりも長い。この場合に、この画像読取装置では、第１配線パターンを第１基板端子と第１編幹部との最短距離よりも長くし、第１配線パターンの電気長を延長する。これにより、第１配線ケーブルの電気長と第２配線ケーブルの電気長の差分を第１配線パターンの電気長により調整することができる。
【００１２】
また、上記の画像読取装置では、前記第１読取部及び前記第２読取部は、前記主走査方向に並んだ複数の受光素子を有し、前記第１読取部は、原稿シートの一方の面を前記複数の受光素子を用いて前記主走査方向に読み取り、読み取った画像に応じたアナログ信号を受光素子毎に前記主走査方向の一方側の受光素子から順に出力し、前記第１変換部は、前記第１読取部から出力されるアナログ信号を前記第１読取部から出力される順にデジタル信号に変換し、前記第２読取部は、原稿シートの他方の面を前記複数の受光素子を用いて前記主走査方向と逆方向に読み取り、読み取った画像に応じたアナログ信号を受光素子毎に前記主走査方向の他方側の受光素子から順に出力し、前記第２変換部は、前記第２読取部から出力されるアナログ信号を前記第２読取部から出力される順にデジタル信号に変換し、更に、前記基板に載置され、前記第１変換部及び前記第２変換部で変換されたデジタル信号に対して補正処理を行う補正部、を備える構成としてもよい。
【００１３】
この画像読取装置では、原稿シートの一方の面に応じたアナログ信号が主走査方向の一方側から順に出力されてデジタル信号に変換され、原稿シートの他方の面に応じたアナログ信号が主走査方向の他方側から順に出力されてデジタル信号に変換される。そのため、補正部では、原稿シートの各面において主走査方向の同一側から順に出力されて変換されたデジタル信号を、同一の処理により補正することができる。これにより、原稿シートの各面において主走査方向の異なる側から順に出力されて変換されたデジタル信号を、主走査方向の反転処理など、異なる処理により補正する場合に比べて、処理の違いにより読取画像の画質の差が生じることを抑制することができる。
【００１４】
また、上記の画像読取装置では、前記第１配線ケーブルは、前記第１端子と前記第１基板端子とを最短ルートで接続し、前記第２配線ケーブルは、前記第２端子と前記第２基板端子とを最短ルートで接続する構成としてもよい。
【００１５】
この画像読取装置では、各読取部の端子と基板の対応する基板端子とが最短ルートで接続されるので、各配線ケーブルの電気長を短くすることができる。これにより、第１配線ケーブルの電気長と第１配線パターンの電気長との合計、及び、第２配線ケーブルの電気長と第２配線パターンの電気長の合計を短くすることができ、読取画像に生じる画質の劣化を抑制することができる。
【００１６】
また、上記の画像読取装置では、更に、表面に原稿シートが載置される透明な原稿台と、前記第１読取部を前記原稿台の裏面に沿って副走査方向に移動させる移動部と、を備え、前記第１読取部は、前記搬送部により搬送される原稿シートの一方の面の画像を、前記搬送部によって原稿シートが搬送される搬送経路上の第１読取位置で読み取る読取動作を実行可能に構成されており、前記第２読取部は、前記搬送部により搬送される原稿シートの他方の面の画像を、前記搬送経路上の第２読取位置で読み取る読取動作と、前記原稿台の表面側に載置された原稿シートの前記原稿台に当接する当接面の画像を、前記移動部によって前記原稿台の裏面に沿って副走査方向に移動しながら読み取る読取動作と、を実行可能に構成されており、前記第２配線ケーブルは、前記移動部による前記第２読取部の移動を許容する長さを有する構成としてもよい。
【００１７】
配線ケーブルや配線パターンでは、長さが長いほど電気長が長い。この画像読取装置では、第２読取部は、移動部によって移動可能に構成されており、第２配線ケーブルはその移動を許容する長さを有している。これにより、第２配線ケーブルが第１配線ケーブルよりも長く、第２配線ケーブルの電気長が第１配線ケーブルの電気長よりも長くなった場合でも、第１配線パターンの電気長と第２配線パターンの電気長により、第１配線ケーブルの電気長と第１配線パターンの電気長との合計と、第２配線ケーブルの電気長と第２配線パターンの電気長の合計とを等しくすることができる。
【００１８】
また、上記の画像読取装置では、更に、前記基板に載置され、前記第１配線ケーブルを通じて前記第１読取部を制御する第１クロック信号を含む第１制御信号を前記第１読取部に出力し、前記第２配線ケーブルを通じて前記第２読取部を制御する第２クロック信号を含む第２制御信号を前記第２読取部に出力する制御信号出力部、を備え、前記制御信号出力部は、お互いに逆相の前記第１クロック信号及び前記第２クロック信号を対応する読取部に出力する構成としてもよい。
【００１９】
この画像読取装置は、第１読取部に出力する第１クロック信号と、第２読取部に出力される第２クロック信号とが、お互いに逆相である。そのため、第１配線ケーブルから第１クロック信号の立ち上がり時に出力される輻射ノイズを、第２配線ケーブルから第２クロック信号の立ち下がり時に出力される輻射ノイズによって打ち消すことができる。また、第１配線ケーブルから第１クロック信号の立ち下がり時に出力される輻射ノイズを、第２配線ケーブルから第２クロック信号の立ち上がり時に出力される輻射ノイズによって打ち消すことができる。これにより、第１配線ケーブルと第２配線ケーブルから出力される輻射ノイズの合計を低減することができる。
【発明の効果】
【００２０】
本明細書によって開示される画像読取装置では、２つの読取部により読み取った読取画像に画質の差が生じることを抑制することができる。
【図面の簡単な説明】
【００２１】
【図１】画像読取装置の概略的な断面図
【図２】受光基板及び制御基板の配線図
【図３】制御基板の電気的構成を示す概略図
【図４】読取画像の概略図
【図５】クロック信号と輻射ノイズのタイミングチャート
【図６】受光基板及び制御基板の配線図
【図７】制御基板の電気的構成を示す概略図
【図８】画像読取装置の概略的な断面図
【発明を実施するための形態】
【００２２】
＜実施形態１＞
実施形態１を、図１から図５を用いて説明する。
【００２３】
１．画像読取装置の機械的構成
図１に示すように、画像読取装置１は、使用者により供給トレイ２に載置された複数の原稿シートＧを排出トレイ４に搬送するとともに、搬送中の原稿シートＧの画像を本体部３に含まれる読取部２４、２５を用いて読み取るシートフィードスキャナである。以下の説明では、図１の紙面右側を画像読取装置１の前側Ｆとし、紙面手前側を画像読取装置１の右側Ｒとする。また、重力方向上側を示す紙面上側を画像読取装置１の上側Ｕとする。
【００２４】
本体部３には、供給トレイ２と排出トレイ４を接続する搬送経路２２が設けられており、この搬送経路２２の周辺に、供給ローラ２０と、分離パッド２１と、搬送ローラ２３と、読取部２４、２５と、フロントセンサ（以下、Ｆセンサ）２６と、リアセンサ（以下、Ｒセンサ）２７と、制御基板２８等を備える。制御基板２８は、基板の一例である。
【００２５】
供給ローラ２０は、供給トレイ２に載置された原稿シートＧに当接し、摩擦力により、供給トレイ２に載置された原稿シートＧを本体部３の内部へと引き込む。この際、原稿シートＧは、分離パッド２１の摩擦力により各原稿シートＧ毎に分離され、搬送経路２２へと送り出される。
【００２６】
搬送ローラ２３は、駆動モータ（不図示）により駆動され、本体部３の内部へと引き込まれた原稿シートＧを搬送経路２２に沿って搬送する。第１読取部２４は、搬送経路２２上の第１読取位置Ｚ１に配置され、搬送経路２２に沿った搬送方向Ｄ２に搬送される原稿シートＧの一方の面の画像を第１読取位置Ｚ１で読み取る。
【００２７】
第１読取部２４は、複数の受光素子４１が搬送方向Ｄ２に直交する主走査方向Ｄ１（つまり、画像読取装置１の右方向）に直線状に配列されている第１受光基板４０、発光ダイオードなどで構成される第１光源４３等を含む。第１受光基板４０は、第１光源４３の１回の発光で主走査方向Ｄ１に１ライン読み取る。第１読取部２４は１ラインの読み取りを繰り返し、原稿シートＧの一方の面に応じたアナログ信号の読取信号ＧＡ１を出力する。
【００２８】
また、第２読取部２５は、搬送経路２２上の第２読取位置Ｚ２に配置され、搬送方向Ｄ２に搬送される原稿シートＧの他方の面の画像を読み取る。
【００２９】
第２読取部２５は、複数の受光素子５１が主走査方向Ｄ１に直線状に配列されている第２受光基板５０、発光ダイオードなどで構成される第２光源５３等を含む。第２受光基板５０は、第２光源５３の１回の発光で主走査方向Ｄ１と逆方向（つまり、左方向）に１ライン読み取る。第２読取部２５は１ラインの読み取りを繰り返し、原稿シートＧの他方の面に応じたアナログ信号の読取信号ＧＡ２を出力する。
【００３０】
また、搬送ローラ２３は、搬送経路２２上に搬送された原稿シートＧを排出トレイ４に排出する。つまり、供給ローラ２０と搬送ローラ２３とによって、供給トレイ２に載置された原稿シートＧを搬送し、排出トレイ４に排出する搬送部２９が構成されている。
【００３１】
Ｆセンサ２６は、供給トレイ２に配置され、供給トレイ２に原稿シートＧが載置された場合にオンし、供給トレイ２に原稿シートＧが載置されていない場合にオフする。また、Ｒセンサ２７は、搬送経路２２において読取位置Ｚ１、Ｚ２よりも上流側の検出位置Ｚ３に配置され、原稿シートＧが搬送経路２２上の検出位置Ｚ３を通過する場合にオンし、検出位置Ｚ３を通過していない場合にオフする。
【００３２】
制御基板２８は、第１読取部２４の下側に、主走査方向Ｄ１及び搬送方向Ｄ２に平行に配置される。さらに、画像読取装置１には、電源スイッチや各種設定ボタンからなり、使用者からの操作指令等を受け付ける操作部１１や、ＬＥＤや液晶ディスプレイからなり画像読取装置１の状況を表示する表示部１２等が設けられている。
【００３３】
２．受光基板と制御基板との機械的構成
図２に示すように、第１受光基板４０の上面には、複数の受光素子４１が配列されており、第１受光基板４０は、１ラインの読み取りで、原稿シートＧの一方の面からの反射光を受光素子４１毎に検出して蓄積する。また、第１受光基板４０の下面の左端側には、第１入出力端子４２が設けられており、第１受光基板４０は、各受光素子４１が蓄積した光量に基づくアナログ信号の読取信号ＧＡ１を、矢印１５に示すように、画像読取装置１の左側から右側に向かって、受光素子４１毎に順次出力する。これにより、図４の４Ａに示すように、原稿シートＧの一方の面から観察した場合、アナログ信号の読取信号ＧＡ１は、矢印１７に示すように、読取信号ＧＡ１から生成される読取画像の左側から右側へと出力される。第１入出力端子４２は、第１端子の一例である。
【００３４】
また、第２受光基板５０の下面には、複数の受光素子５１が配列されており、第２受光基板５０は、１ラインの読み取りで、原稿シートＧの他方の面からの反射光を受光素子５１毎に検出して蓄積する。また、第２受光基板５０の上面の右端側には、第２入出力端子５２が設けられており、第２受光基板５０は、各受光素子５１が蓄積した光量に基づくアナログ信号の読取信号ＧＡ２を、矢印１６に示すように、画像読取装置１の右側から左側に向かって、受光素子５１毎に順次出力する。これにより、図４の４Ｂに示すように、原稿シートＧの他方の面から観察した場合、アナログ信号の読取信号ＧＡ２は、矢印１８に示すように、読取信号ＧＡ２から生成される読取画像の左側から右側へと出力される。第２入出力端子５２は、第２端子の一例である。
【００３５】
図３に示すように、制御基板２８の上面には、基板端子６１、６３と、ＡＤコンバータ（以下、ＡＤＣ）６２、６４と、ＡＳＩＣ６５等が載置されている。第１基板端子６１は、制御基板２８の上面左端に配置されており、第１配線ケーブルＬ１を介して第１受光基板４０の第１入出力端子４２と電気的に接続されている。第１配線ケーブルＬ１により第１基板端子６１に入力されたアナログ信号の読取信号ＧＡ１は、第１基板端子６１と第１ＡＤＣ６２とを接続する制御基板２８上に設けられた第１配線パターンＰ１によって第１ＡＤＣ６２に伝達される。
【００３６】
第１ＡＤＣ６２は、制御基板２８の上面左側に配置されている。第１ＡＤＣ６２は、第１配線パターンＰ１を介して伝達されたアナログ信号の読取信号ＧＡ１を、伝達される順にデジタル信号の読取信号ＧＤ１に変換し、ＡＳＩＣ６５に出力する。第１ＡＤＣ６２は、第１変換部の一例である。
【００３７】
第２基板端子６３は、制御基板２８の上面右端に配置されており、第２配線ケーブルＬ２を介して第１受光基板４０の第２入出力端子５２と電気的に接続されている。第２配線ケーブルＬ２により第２基板端子６３に入力されたアナログ信号の読取信号ＧＡ２は、第２基板端子６３と第２ＡＤＣ６４とを接続する制御基板２８上に設けられた第２配線パターンＰ２によって第２ＡＤＣ６４に伝達される。
【００３８】
第２ＡＤＣ６４は、制御基板２８の上面右側に配置されている。第２ＡＤＣ６４は、第２配線パターンＰ２を介して伝達されたアナログ信号の読取信号ＧＡ２を、伝達される順にデジタル信号の読取信号ＧＤ２に変換し、ＡＳＩＣ６５に出力する。第２ＡＤＣ６４は、第２変換部の一例である。
【００３９】
ＡＳＩＣ６５には、ＣＰＵ６６と、画像処理回路６７と、メモリ６８等が内蔵されている。メモリ６８には、画像読取装置１の動作を制御するための各種のプログラムが記憶されており、ＣＰＵ６６は、メモリ６８から読み出したプログラムに従って各部の制御を行う。例えば、ＣＰＵ６６は、制御基板２８上に設けられた第３配線パターンＰ３及び第１配線ケーブルＬ１を介して、図５に示すトリガー信号ＴＲＧ及び第１クロック信号ＣＬ１を含む第１制御信号を第１受光基板４０に出力する。
【００４０】
第１受光基板４０は、第１制御信号を用いてアナログ信号の読取信号ＧＡ１の出力を制御する。具体的には、第１受光基板４０は、トリガー信号ＴＲＧにあわせて読取信号ＧＡ１の出力を開始し、第１クロック信号ＣＬ１の立ち上がりタイミングにあわせて読取信号ＧＡ１を出力する受光素子４１を切り替えて各受光素子４１に対するアナログ信号の読取信号ＧＡ１を順次出力する。
【００４１】
また、ＡＳＩＣ６５は、ＣＰＵ６６の指示により、内蔵するクロック生成回路（不図示）を用いて、ＡＳＩＣ６５と第２基板端子６３とを接続する制御基板２８上に設けられた第４配線パターンＰ４及び第２配線ケーブルＬ２を介して、図５に示すトリガー信号ＴＲＧ及び第２クロック信号ＣＬ２を含む第２制御信号を第２受光基板５０に出力する。図５に示すように、第２クロック信号ＣＬ２は第１クロック信号ＣＬ１を反転させた信号に設定されている。ＡＳＩＣ６５は、制御信号出力部の一例である。
【００４２】
第２受光基板５０は、第２制御信号を用いてアナログ信号の読取信号ＧＡ２の出力を制御する。具体的には、第２受光基板５０は、トリガー信号ＴＲＧにあわせて読取信号ＧＡ２の出力を開始し、第２クロック信号ＣＬ２の立ち下がりタイミングにあわせて読取信号ＧＡ２を出力する受光素子５１を切り替えて各受光素子５１に対するアナログ信号の読取信号ＧＡ２を順次出力する。メモリ６８には、また、ＡＤＣ６２、６４から入力されるデジタル信号の読取信号ＧＤ１、ＧＤ２が記憶される。
【００４３】
画像処理回路６７は、ＣＰＵ６６からの命令に基づいて、メモリ６８に記憶されたデジタル信号の読取信号ＧＤ１、ＧＤ２に対して、γ補正処理や、２値化処理や、シェーディング補正処理等の補正処理を行う。画像処理回路６７で補正された読取信号ＧＤ１、ＧＤ２は、例えば操作部１１からの指示により表示部１２に読取画像として表示され、図示されないネットワークインターフェイスを介して外部装置に送信される。画像処理回路６７は、補正部の一例である。
【００４４】
３．配線ケーブルと配線パターン
第１受光基板４０の第１入出力端子４２と制御基板２８の第１基板端子６１とは、画像読取装置１に対して同じ左側に配置されている。そのため、第１配線ケーブルＬ１は、画像読取装置１の左側において第１入出力端子４２と第１基板端子６１とを接続することができ、画像読取装置１を左右方向に横断する場合に比べて、その長さを短縮することができる。そして、第１配線ケーブルＬ１は、第１入出力端子４２と第１基板端子６１とを最短ルートで接続する。ここで、「最短ルート」とは、第１入出力端子４２と第１基板端子６１とを直線状に結んだルートを意味し、第１受光基板４０を本体部３に固定する構成などの他の構成と干渉して直線状に第１配線ケーブルＬ１を配置することができない場合には、当該他の構成を避けて、第１配線ケーブルＬ１の長さがもっとも短くなるルートを意味する。
【００４５】
また、第２受光基板５０の第２入出力端子５２と制御基板２８の第２基板端子６３とは、画像読取装置１に対して同じ右側に配置されている。そのため、第２配線ケーブルＬ２は、画像読取装置１の右側において第２入出力端子５２と第２基板端子６３とを接続することができ、画像読取装置１を左右方向に横断する場合に比べて、その長さを短縮することができる。そして、第２配線ケーブルＬ２は、搬送経路２２を避けて第２入出力端子５２と第２基板端子６３とを最短ルートで接続する。
【００４６】
そのため、制御基板２８に対して第１受光基板４０よりも遠くに配置されている第２受光基板５０の第２入出力端子５２と制御基板２８の第２基板端子６３とを接続する第２配線ケーブルＬ２の実際の長さである物理長ＢＬ２は、第１受光基板４０の第１入出力端子４２と制御基板２８の第１基板端子６１とを接続する第１配線ケーブルＬ１の物理長ＢＬ１よりも長くなる。
【００４７】
本実施形態の画像読取装置１では、第１配線ケーブルＬ１の物理長ＢＬ１と第２配線ケーブルＬ２の物理長ＢＬ２との違いに対応させて、第１配線パターンＰ１の物理長ＢＰ１と第２配線パターンＰ２の物理長ＢＰ２とが調整されている。具体的には、第１配線ケーブルＬ１の電気長ＥＬ１と対応する第１配線パターンＰ１の電気長ＥＰ１の合計が、第２配線ケーブルＬ２の電気長ＥＬ２と対応する第２配線パターンＰ２の電気長ＥＰ２の合計と等しくなるように上記物理長ＢＰ１、ＢＰ２が調整されている。ここで、「等しい」とは、完全に等しい場合の他、配線ケーブルＬ１、Ｌ２や配線パターンＰ１、Ｐ２の形成誤差を考慮した差が設定されている場合を含む。
【００４８】
ここで、電気長Ｅとは、アナログ信号の読取信号ＧＡ１、ＧＡ２などの伝達信号に対する配線ケーブルＬ１、Ｌ２や配線パターンＰ１、Ｐ２などの伝達媒体の伝達方向における長さを意味する。伝達媒体中では、伝達信号の波長が真空中に比べて短く、伝達信号の速度が真空中に比べて遅い。そのため、伝達媒体の電気長Ｅは、伝達媒体の物理長Ｂよりも長くなる。
【００４９】
具体的には、電気長Ｅは、物理長Ｂに、真空中の伝達信号の速度に対する伝達媒体中の伝達信号の速度の比を示す波長短縮率κを積した値である。波長短縮率κは、比誘電率εの平方根の逆数で表される係数であり、比誘電率εは伝達媒体毎に異なることから、波長短縮率κも伝達媒体毎に異なる。
Ｅ＝κ×Ｂ
【００５０】
具体的には、配線ケーブルＬ１、Ｌ２の波長短縮率κは、各配線ケーブルＬ１、Ｌ２の材質や径寸法等により決定される。本実施形態では、第１配線ケーブルＬ１と第２配線ケーブルＬ２は、同一の材質及び同一の径寸法の配線ケーブルで構成されていることから、その波長短縮率κは、同一の波長短縮率κ１で表される。
【００５１】
また、配線パターンＰ１、Ｐ２の波長短縮率κは、各配線パターンＰ１、Ｐ２の材質や幅寸法に加え、各配線パターンＰ１、Ｐ２と制御基板２８の下面の一面に設けられたグランドパターンとの間の距離等により決定される。本実施形態では、第１配線パターンＰ１と第２配線パターンＰ２は、同一の材質及び同一の径寸法の配線パターンで構成されており、第１配線パターンＰ１及び第２配線パターンＰ２とグランドパターンとの間の距離が同一であることから、その波長短縮率κは、同一の波長短縮率κ２で表される。
【００５２】
従って、第１配線ケーブルＬ１の電気長ＥＬ１と対応する第１配線パターンＰ１の電気長ＥＰ１の合計と、第２配線ケーブルＬ２の電気長ＥＬ２と対応する第２配線パターンＰ２の電気長ＥＰ２の合計との関係は、以下のように表される。
ＥＬ１＋ＥＰ１＝κ１×ＢＬ１＋κ２×ＢＰ１＝κ１×ＢＬ２＋κ２×ＢＰ２＝ＥＬ２＋ＥＰ２
【００５３】
４．本実施形態の効果
上述した本実施形態では、第１配線ケーブルＬ１の電気長ＥＬ１と第１配線パターンＰ１の電気長ＥＰ１の合計が、第２配線ケーブルＬ２の電気長ＥＬ２と第２配線パターンＰ２の電気長ＥＰ２の合計と等しく設定されている。そのため、各受光基板４０、５０から出力されて対応するＡＤＣ６２、６４に伝達されるまでにアナログ信号の読取信号ＧＡ１、ＧＡ２に生じる電圧値の変動が同程度に抑えらる。これにより、アナログ信号の読取信号ＧＡ１から生成される原稿シートＧの一方の面を読み取った読取画像と、アナログ信号の読取信号ＧＡ２から生成される原稿シートの他方の面を読み取った読取画像とに画質の差が生じることを抑制することができる。
【００５４】
上述した本実施形態では、各受光基板４０、５０の入出力端子４２、５２と制御基板２８の対応する基板端子６１、６３とが、画像読取装置１における左右方向の同一側に配置されている。そのため、左右方向の逆側に配置されている場合に比べて、各配線ケーブルＬ１、Ｌ２の物理長ＢＬ１、ＢＬ２及び電気長ＥＬ１、ＥＬ２を短くすることができる。また、制御基板２８において、各基板端子６１、６３と対応するＡＤＣ６２、６４とが、画像読取装置１における左右方向の同一側に配置されている。そのため、左右方向の逆側に配置されている場合に比べて、各配線パターンＰ１、Ｐ２の物理長ＢＰ１、ＢＰ２及び電気長ＥＰ１、ＥＰ２を短くすることができる。これにより、第１配線ケーブルＬ１の電気長ＥＬ１と第１配線パターンＰ１の電気長ＥＰ１の合計と、第２配線ケーブルＬ２の電気長ＥＬ２と第２配線パターンＰ２の電気長ＥＰ２の合計とを短くすることができ、アナログ信号の読取信号ＧＡ１、ＧＡ２に生じる電圧値の変動が抑えられ、読取画像に生じる画質の劣化を抑制することができる。
【００５５】
上述した本実施形態では、第１受光基板４０は、原稿シートＧの一方の面を読み取って出力するアナログ信号の読取信号ＧＡ１を、当該面の左側から順に出力し、第１ＡＤＣ６２は、第１受光基板４０から出力される順にデジタル信号の読取信号ＧＤ１に変換する。また、第２受光基板５０は、原稿シートＧの他方の面を読み取って出力するアナログ信号の読取信号ＧＡ２を、第１受光基板４０と同様に当該面の左側から順に出力し、第２ＡＤＣ６４は、第２受光基板５０から出力される順にデジタル信号の読取信号ＧＤ２に変換する。そのため、ＡＳＩＣ６５には、原稿シートＧの各面の左側から順に出力されるデジタル信号の読取信号ＧＤ１、ＧＤ２が入力される。
【００５６】
そのため、画像処理回路６７は、デジタル信号の読取信号ＧＤ１、ＧＤ２に対して補正処理を実行する際に、左側から順に出力されるデジタル信号に対する処理により補正することができる。そのため、例えば、デジタル信号の読取信号ＧＤ１が原稿シートＧの一方の面の左側から順に出力され、デジタル信号の読取信号ＧＤ２が原稿シートＧの他方の面の右側から順に出力された場合のように、左側から順に出力されるデジタル信号に対する処理を実行するために、デジタル信号の読取信号ＧＤ２に対してのみ主走査方向Ｄ１の順番を入れ替える反転処理を行う必要がない。これにより、デジタル信号の読取信号ＧＤ１、ＧＤ２に対して同一の処理で補正処理を実行することができ、反転処理等の異なる処理により補正する場合に比べて、処理の違いにより読取画像の画質の差が生じることを抑制することができる。
【００５７】
上述した本実施形態では、各受光基板４０、５０の入出力端子４２、５２と制御基板２８の対応する基板端子６１、６３とが、最短ルートで接続されている。そのため、各配線ケーブルＬ１、Ｌ２の物理長ＢＬ１、ＢＬ２及び電気長ＥＬ１、ＥＬ２を短くすることができ、第１配線ケーブルＬ１の電気長ＥＬ１と第１配線パターンＰ１の電気長ＥＰ１の合計と、第２配線ケーブルＬ２の電気長ＥＬ２と第２配線パターンＰ２の電気長ＥＰ２の合計とを短くすることができる。これにより、アナログ信号の読取信号ＧＡ１、ＧＡ２に生じる電圧値の変動が抑えられ、読取画像に生じる画質の劣化を抑制することができる。
【００５８】
上述した本実施形態では、第１受光基板４０に出力する第１クロック信号ＣＬ１と、第２受光基板５０に出力される第２クロック信号ＣＬ２とが、お互いに逆相である。そのため、図５に示すように、第１配線ケーブルＬ１から第１クロック信号ＣＬ１の立ち上がり時に出力される第１輻射ノイズＨ１を、第２配線ケーブルＬ２から第２クロック信号ＣＬ２の立ち下がり時に出力される第２輻射ノイズＨ２によって打ち消すことができる。また、第１配線ケーブルから第１クロック信号ＣＬ１の立ち下がり時に出力される第１輻射ノイズＨ１を、第２配線ケーブルから第２クロック信号ＣＬ２の立ち上がり時に出力される第２輻射ノイズＨ２によって打ち消すことができる。これにより、第１配線ケーブルＬ１と第２配線ケーブルＬ２から出力される輻射ノイズＨ１、Ｈ２の合計を低減することができる。
【００５９】
＜実施形態２＞
実施形態２の画像読取装置１について図６、７を用いて説明する。本実施形態では、図６に示すように、第２基板端子６３が制御基板２８の上面左端に配置されており、第２ＡＤＣ６４が制御基板２８の上面左側に配置されている点で、実施形態１の画像読取装置１と異なる。その一方、本実施形態でも、実施形態１と同様に、第１配線ケーブルＬ１の電気長ＥＬ１と第１配線パターンＰ１の電気長ＥＰ１の合計が、第２配線ケーブルＬ２の電気長ＥＬ２と第２配線パターンＰ２の電気長ＥＰ２の合計と等しく設定されている。以下の説明では、実施形態１と同一の内容については重複した記載を省略する。
【００６０】
１．配線ケーブルと配線パターン
本実施形態の画像読取装置１では、第１受光基板４０の第１入出力端子４２と制御基板２８の第１基板端子６１とが、画像読取装置１の左右方向の同一側に配置されているのに対して、第２受光基板５０の第２入出力端子５２と制御基板２８の第２基板端子６３とが、画像読取装置１の左右方向の逆側に配置されている。そのため、第２配線ケーブルＬ２の物理長ＢＬ２及び電気長ＥＬ２は、第１配線ケーブルＬ１の物理長ＢＬ１及び電気長ＥＬ１よりも長くなる。
【００６１】
図７に示すように、本実施形態の画像読取装置１では、第１配線ケーブルＬ１の電気長ＥＬ１と第１配線パターンＰ１の電気長ＥＰ１の合計と、第２配線ケーブルＬ２の電気長ＥＬ２と第２配線パターンＰ２の電気長ＥＰ２の合計とを等しく設定するために、第１配線パターンＰ１の物理長ＢＰ１及び電気長ＥＰ１を第２配線パターンＰ２の物理長ＢＰ２及び電気長ＥＰ２よりも長く設定してある。
【００６２】
具体的には、第１配線パターンＰ１には、第１基板端子６１と第１ＡＤＣ６２とを接続するための接続部分Ｘとともに延長部分Ｙが設けられている。本実施形態では、接続部分Ｘは画像読取装置１の左右方向に延びる配線パターンを意味し、延長部分Ｙは画像読取装置１の前後方向に延びる配線パターンを意味する。そのため、第１配線パターンＰ１のＢＰ１は、接続部分Ｘの物理長に比べて長い。接続部分Ｘは、第１基板端子と第１変換部との最短距離の一例である。
【００６３】
従って、第１配線パターンＰ１は、第２基板端子６３と第２ＡＤＣ６４とを接続するための接続部分Ｘのみで設けられている第２配線パターンＰ２よりも長い。本実施形態の画像読取装置１では、第１配線ケーブルＬ１の電気長ＥＬ１と第１配線パターンＰ１の電気長ＥＰ１の合計が、第２配線ケーブルＬ２の電気長ＥＬ２と第２配線パターンＰ２の電気長ＥＰ２の合計と等しくなるように、第１配線パターンＰ１の延長部分Ｙの物理長が調整されている。
【００６４】
２．本実施形態の効果
上述した本実施形態では、第２配線ケーブルＬ２の物理長ＢＬ２が第１配線ケーブルＬ１の物理長ＢＬ１よりも長く、第２配線ケーブルＬ２の電気長ＥＬ２が第１配線ケーブルＬ１の電気長ＥＬ１よりも長い。この場合に、第１配線パターンＰ１を接続部分Ｘと延長部分Ｙにより構成し、接続部分Ｘのみで構成される第２配線パターンＰ２の物理長ＢＰ２よりも長くしている。
【００６５】
そして、延長部分Ｙの物理長を調整することで、第１配線ケーブルＬ１の電気長ＥＬ１と第１配線パターンＰ１の電気長ＥＰ１の合計が、第２配線ケーブルＬ２の電気長ＥＬ２と第２配線パターンＰ２の電気長ＥＰ２の合計と等しくする。これにより、アナログ信号の読取信号ＧＡ１から生成される原稿シートＧの一方の面を読み取った読取画像と、アナログ信号の読取信号ＧＡ２から生成される原稿シートの他方の面を読み取った読取画像とに画質の差が生じることを抑制することができる。
【００６６】
＜実施形態３＞
実施形態３の画像読取装置１について図８を用いて説明する。本実施形態では、図８に示すように、画像読取装置１が搬送中の原稿シートＧの画像を読み取るシートフィードスキャナであるとともに、第１プラテンガラス８０に静止して載置された原稿シートＧの画像を読み取るフラットベットスキャナである点で、実施形態１の画像読取装置１と異なる。その一方、本実施形態でも、実施形態１と同様に、第１配線ケーブルＬ１の電気長ＥＬ１と第１配線パターンＰ１の電気長ＥＰ１の合計が、第２配線ケーブルＬ２の電気長ＥＬ２と第２配線パターンＰ２の電気長ＥＰ２の合計と等しく設定されている。以下の説明では、実施形態１と同一の内容については重複した記載を省略する。
【００６７】
１．画像読取装置の機械的構成
本実施形態の画像読取装置１は、本体ユニット７０の上方に原稿搬送ユニット７１が載置されて構成されている。本体ユニット７０は、第２読取部２５、制御基板２８、移動部３０を備える他、その上面に透明なガラス板からなるプラテンガラス８０、８１等を備える。
【００６８】
原稿搬送ユニット７１は、本体ユニット７０の上面全面を覆っており、本体ユニット７０の上面を開閉可能に構成されている。原稿搬送ユニット７１は、搬送経路２２に沿った搬送方向Ｄ２に原稿シートＧを自動で搬送する原稿自動送り機能（ＡＤＦ）を有する搬送部２９を備える他、第１読取部２４、第３プラテンガラス８２等を備える。
【００６９】
画像読取装置１は、搬送部２９が有するＡＤＦ機能を用いてＡＤＦ読取動作を実行すると、搬送部２９により搬送される原稿シートＧが第３プラテンガラス８２上を通過する際に、搬送経路２２上の第１読取位置Ｚ１に固定して配置された第１読取部２４を用いて原稿シートＧの一方の面を読み取る。また、画像読取装置１は、搬送部２９により搬送される原稿シートＧが搬送経路２２に沿って第３プラテンガラス８２よりも下流側に位置する第２プラテンガラス８１上を通過する際に、搬送経路２２上の第２読取位置Ｚ２に配置された第２読取部２５を用いて原稿シートＧの他方の面を読み取る。
【００７０】
また、第２読取部２５は、本体ユニット７０内に設けられた移動部３０によって、第１プラテンガラス８０の下面に沿って矢印７３で示す画像読取装置１の前後方向に移動可能に支持されている。移動部３０は、連結部材８５を介して第２読取部２５が固定される搬送ベルト８４及びローラ８３等を含む。ローラ８３は、駆動モータ（不図示）によって回転し、搬送ベルト８４及び第２読取部２５を前後方向に移動させる。前後方向は、副走査方向の一例である。
【００７１】
画像読取装置１は、移動部３０を用いて前後方向に第２読取部２５を移動させながら第１プラテンガラス８０の上面に静止して載置された原稿シートＧを読み取る、いわゆるＦＢ読取動作を実行することが可能である。第１プラテンガラス８０は、原稿台の一例である。
【００７２】
２．配線ケーブルと配線パターン
本実施形態の画像読取装置１では、第１読取部２４が第１読取位置Ｚ１に固定して配置されているのに対して、第２読取部２５が移動部３０によって移動可能に支持されており、第２配線ケーブルＬ２は、移動部３０による第２読取部２５の移動を許容する物理長ＢＬ２に設定されている。そのため、第２配線ケーブルＬ２の物理長ＢＬ２及び電気長ＥＬ２は、第１配線ケーブルＬ１の物理長ＢＬ１及び電気長ＥＬ１よりも長くなる。
【００７３】
本実施形態の画像読取装置１では、第１配線パターンＰ１を、接続部分Ｘと延長部分Ｙ（図７参照）で構成し、接続部分Ｘのみで構成されている第２配線パターンＰ２よりも長く設定する。そして、第１配線ケーブルＬ１の電気長ＥＬ１と第１配線パターンＰ１の電気長ＥＰ１の合計が、第２配線ケーブルＬ２の電気長ＥＬ２と第２配線パターンＰ２の電気長ＥＰ２の合計と等しくなるように、第１配線パターンＰ１の延長部分Ｙの物理長が調整されている。
【００７４】
３．本実施形態の効果
上述した本実施形態では、第２読取部２５が移動可能に支持されており、第２配線ケーブルＬ２の物理長ＢＬ２が第１配線ケーブルＬ１の物理長ＢＬ１よりも長く、第２配線ケーブルＬ２の電気長ＥＬ２が第１配線ケーブルＬ１の電気長ＥＬ１よりも長い。この場合に、第１配線パターンＰ１を接続部分Ｘと延長部分Ｙにより構成し、延長部分Ｙの物理長を調整することで、第１配線ケーブルＬ１の電気長ＥＬ１と第１配線パターンＰ１の電気長ＥＰ１の合計が、第２配線ケーブルＬ２の電気長ＥＬ２と第２配線パターンＰ２の電気長ＥＰ２の合計と等しくすることができる。
【００７５】
＜他の実施形態＞
本明細書で開示される技術は上記記述及び図面によって説明した実施形態に限定されるものではなく、例えば次のような種々の態様も含まれる。
【００７６】
「画像読取装置」は、スキャナ機能を備えた画像読取装置１に限られず、プリンタ機能、コピー機能、ファクシミリ機能などを備えた複合機であっても良い。
【００７７】
上記実施形態では、第１受光基板４０が、アナログ信号の読取信号ＧＡ１を画像読取装置１の左側から右側に向かって順次出力し、第２受光基板５０が、アナログ信号の読取信号ＧＡ２を画像読取装置１の右側から左側に向かって順次出力する。つまり、２つの受光基板４０、５０がアナログ信号の読取信号ＧＡ１、ＧＡ２を画像読取装置１の左右方向において異なる側から出力し、それに伴って、入出力端子４２、５２が画像読取装置１の左右方向において異なる側に配置されている例を用いて説明を行ったが、本発明はこれに限られない。
【００７８】
例えば、２つの受光基板４０、５０が共にアナログ信号の読取信号ＧＡ１、ＧＡ２を画像読取装置１の右側から左側に向かって順次出力し、入出力端子４２、５２が対応する受光基板４０、５０の右端側に配置されていてもよい。この場合に、基板端子６１、６３が共に制御基板２８の上面右端に配置されており、ＡＤＣ６２、６４が制御基板２８の上面右側に配置されていることが好ましい。これにより、第１配線ケーブルＬ１は、画像読取装置１を左右方向に横断することなく、第１入出力端子４２と第１基板端子６１とを接続することができる。また、第２配線ケーブルＬ２は、画像読取装置１を左右方向に横断することなく、第２入出力端子５２と第２基板端子６３とを接続することができる。
【００７９】
上記実施形態では、制御基板２８において、第１配線パターンＰ１によって接続される第１基板端子６１と第１ＡＤＣ６２とが画像読取装置１の左右方向において同一側に配置され、第２配線パターンＰ２によって接続される第２基板端子６３と第２ＡＤＣ６４とが画像読取装置１の左右方向において同一側に配置される例を用いて説明を行ったが、本発明はこれに限られない。第１基板端子６１と第１ＡＤＣ６２とが画像読取装置１の左右方向において同一側に配置されてもよければ、第２基板端子６３と第２ＡＤＣ６４とが画像読取装置１の左右方向において異なる側に配置されてもよい。
【符号の説明】
【００８０】
２４：第１読取部、２５：第２読取部、２８：制御基板、４０：第１受光基板、４１：受光素子、４２：第１入出力端子、５０：第２受光基板、５１：受光素子、５２：第２入出力端子、６１：第１基板端子、６２：第１ＡＤＣ、６３：第２基板端子、６４：第２ＡＤＣ、６５：ＡＳＩＣ、６７：画像処理回路、Ｂ：物理長、Ｅ：電気長、ＧＡ１、ＧＡ２：アナログ信号の読取信号、ＧＤ１、ＧＤ２：デジタル信号の読取信号、Ｌ１、Ｌ２：配線ケーブル、Ｐ１〜Ｐ４：配線パターン、Ｘ：接続部分、Ｙ：延長部分
【図１】
2015144387.tif 000003
【図２】
2015144387.tif 000004
【図３】
2015144387.tif 000005
【図４】
2015144387.tif 000006
【図５】
2015144387.tif 000007
【図６】
2015144387.tif 000008
【図７】
2015144387.tif 000009
【図８】
2015144387.tif 000010